(57)【特許請求の範囲】
【請求項１】
テープの巻き送り又は巻き戻しを行う第１および第２のリール部と、前記第１のリール部と第２のリール部との間を移動可能に設けられた第１および第２の駆動ギヤと、前記第１および第２の駆動ギヤに動力を与える駆動モータと、を有するカセットテープ駆動装置であって、
前記第１の駆動ギヤが、第１のリール部に噛み合うことでテープを早送りするＦＦモードが設定され、前記第２のリール部に噛み合うことでテープの早戻しを行うＲＥＷモードに設定され、且つ、前記第２の駆動ギヤが、第１のリール部に噛み合うことで前記テープを順方向に低速で送るＦ．プレイモードに設定され、第２のリール部に噛み合うことで前記テープを逆方向に低速で巻き戻すＲ．プレイモードに設定されるものであり、
前記第１および第２の駆動ギヤと第１および第２のリール部との間の噛み合いの設定を変えることにより前記動作モードを切り換える切換ギヤが設けられており、
前記ＦＦモード又はＲＥＷモードから前記駆動モータの回転を停止させるストップモードに切り換える際に、前記切換ギヤの切り換え動作により、前記駆動モータの回転を停止させてから前記第１の駆動ギヤと第１又は第２のリール部との噛み合いを解除させ、その後に前記第２の駆動ギヤを前記第２又は第１のリール部に噛み合わせて前記Ｒ．プレイモード又は前記Ｆ．プレイモードを所定時間実行させた後、前記第２の駆動ギヤと前記第２又は第１のリール部との噛み合わせを解除させるようにしたことを特徴とするカセットテープ駆動装置。
【請求項２】
テープの巻き送り又は巻き戻しを行う第１および第２のリール部と、前記第１のリール部と第２のリール部との間を移動可能に設けられた第１及び第２の駆動ギヤと、前記第１および第２の駆動ギヤに動力を与える駆動モータと、磁気ヘッドと、前記磁気ヘッドをテープと接触するプレイ位置およびテープから離れるストップ位置との間で移動させるカムおよび複数の動作モードを設定する係合部とを備えた切換ギヤと、前記切換ギヤの回転を停止させる規制部を備えたロック部材と、前記ロック部材を動作させるソレノイドと、を有するカセットテープ駆動装置であって、
少なくとも前記第１の駆動ギヤが前記第１のリール部に噛み合うことで前記テープを順方向に高速で送るＦＦモードと、前記第１の駆動ギヤが前記第２のリール部に噛み合うことで前記テープを逆方向に高速で巻き戻すＲＥＷモードと、前記第２の駆動ギヤが前記第１のリール部に噛み合うことで前記テープを順方向に低速で送るＦ．プレイモードと、前記第２の駆動ギヤが前記第２のリール部に噛み合うことで前記テープを逆方向に低速で巻き戻すＲ．プレイモードと、前記駆動モータが停止状態にあり且つ前記第１及び第２のリール部のいずれもが回転することのないストップモードと、前記複数の動作モードの基準となる初期モードとを有し、以下の（ａ）ないし（ｆ）の順序にしたがって前記ＦＦモード又は前記ＲＥＷモードからストップモードに移行させられることを特徴とするカセットテープ駆動装置。
（ａ）ストップモードが選択されたときから第１の時間（Ｔ１又はＴ２）だけ駆動モータを停止させる。
（ｂ）前記第１の時間の間にソレノイドを第２の時間（ｔ４又はｔ１１）だけ励磁させ、前記第２の時間の間に駆動モータを再始動させることにより、初期モードに設定する。
（ｃ）ソレノイドを非励磁状態に切り換えてストップモードに設定する。
（ｄ）ソレノイドを第３の時間（ｔ６又はｔ１３）だけ励磁することにより、Ｒ．プレイモード又はＦ．プレイモードを所定の時間（ｔ７又はｔ１４）実行する。
（ｅ）ソレノイドを第４の時間（ｔ１０又はｔ１５）だけ励磁することにより、再度初期モードに設定する。
（ｆ）前記第４の時間（ｔ１０又はｔ１５）経過後、ソレノイドを非励磁状態に切換え、その後に駆動モータを停止する。
【請求項３】
前記第１および第２の駆動ギヤを回動自在に支持する切換アームが設けられ、前記切換ギヤの回転に応じて前記切換アームが回動させられることにより、前記第１の駆動ギヤ又は第２の駆動ギヤが前記第１又は第２のリール部との噛み合い位置および前記噛み合いが外れる位置に移動させられることを特徴とする請求項１又は２記載のカセットテープ駆動装置。
【請求項４】
前記第１および第２の駆動ギヤを回動自在に支持するとともに、前記切換ギヤの回転に応じて回動させられることにより、前記第１の駆動ギヤ又は第２の駆動ギヤを前記第１又は第２のリール部との噛み合い位置および前記噛み合いが外れる位置に移動させる切換アームが設けられ、
前記切換ギヤには、前記プレイモードのときに前記規制部に掛止される第１の係合部、前記ストップモードのときに前記規制部に掛止される第２の係合部、前記ＦＦモードおよび／またはＲＥＷモードのときに前記規制部に掛止される第３の係合部および前記初期モードを設定するときに前記規制部に掛止される第４の係合部と、前記切換アームを回動させる摺動カムが形成されており、
前記ソレノイドが非励磁状態のときには前記規制部が前記第１の係合部、第２の係合部又は前記第３の係合部のいずれかに掛止され、前記ソレノイドが励磁状態のときには前記規制部が前記第４の係合部に掛止されるものであり、
前記動作モードが前記ＦＦモード又はＲＥＷモードにあるときに、前記第２の時間だけソレノイドが励磁させて前記規制部と第３の係合部との掛止が解除させられることにより前記切換ギヤの回転が再開され、これに伴い前記第１の駆動ギヤと前記第１又は第２のリール部との噛み合わせが解除させられることを特徴とする請求項２記載のカセットテープ駆動装置。
【発明の詳細な説明】
【０００１】
【発明の属する技術分野】
本発明は、１モータによって複数の動作モードの切換えが行われるカセツトテープ駆動装置に係わり、特に部品点数を減らしてコストダウンを図ったカセツトテープ駆動装置に関する。
【０００２】
【従来の技術】
従来のカセットテープ駆動装置では、記録ヘッドおよび／または再生ヘッドなどの磁気ヘッドがヘッドベース上に搭載されている。前記ヘッドベースは、カセットテープに対し接近する方向および離れる方向に移動可能な状態に設けられており、切換えカムを備えた切換え部材によって前記各方向に移動させられる仕組みとされている。
【０００３】
前記カセットテープ駆動装置に設けられた各種の操作スイッチが押されると、前記切換えギヤが回転駆動させられ、前記ヘッドベースが切換えカムの形状に応じて移動する。このとき前記磁気ヘッドが磁気テープと所定の対向間隔に設定されることによりプレイモード、ＦＦモード、ＲＥＷモードまたはストップモードなどの各種の動作モードに設定させられる。
【０００４】
上記カセットテープ駆動装置では、ＦＦモード又はＲＥＷモードで動作しているときに、操作ボタンが押されてストップモードが選択されると、供給リール及び巻取りリールを回転駆動させていたモータの電源を断つことにより、あるいはモータの駆動力を前記両リールのギヤ部に伝える伝達ギヤを移動させ、前記伝達ギヤとリールのギヤ部との連結を断つことにより、両リールの回転を停止させてカセットテープ駆動装置の動作モードがストップモードに切り換えられる。
【０００５】
またＦＦモード又はＲＥＷモードからストップモードに移行するときには、前記駆動装置内に設けられたストッパ機構が駆動させられ前記両リールをロックする。これにより、供給リールと巻取りリール間で発生しやすい磁気テープの弛みを防止している。
【０００６】
【発明が解決しようとする課題】
しかし、上記従来のカセットテープ駆動装置では、別機構として磁気テープの弛みを防止するためのストッパ機構が必要であるため、部品点数が増加しコスト高となっていた。
【０００７】
また前記ストッパ機構は比較的大きな部品であるため、カセット駆動装置の小型軽量化の妨げとなっていた。
【０００８】
本発明は上記従来の課題を解決するためのものであり、ストッパ機構を無くしても磁気テープに弛みが発生しないカセットテープ駆動装置を提供することを目的としている。
【０００９】
また本発明は、部品点数を減らし、コストダウンを図れるようにしたカセットテープ駆動装置を提供することを目的としている。
【００１０】
【課題を解決するための手段】
本発明は、テープの巻き送り又は巻き戻しを行う第１および第２のリール部と、前記第１のリール部と第２のリール部との間を移動可能に設けられた第１および第２の駆動ギヤと、前記第１および第２の駆動ギヤに動力を与える駆動モータと、を有するカセットテープ駆動装置であって、
前記第１の駆動ギヤが、第１のリール部に噛み合うことでテープを早送りするＦＦモードが設定され、前記第２のリール部に噛み合うことでテープの早戻しを行うＲＥＷモードに設定され、且つ、前記第２の駆動ギヤが、第１のリール部に噛み合うことで前記テープを順方向に低速で送るＦ．プレイモードに設定され、第２のリール部に噛み合うことで前記テープを逆方向に低速で巻き戻すＲ．プレイモードに設定されるものであり、
前記第１および第２の駆動ギヤと第１および第２のリール部との間の噛み合いの設定を変えることにより前記動作モードを切り換える切換ギヤが設けられており、
前記ＦＦモード又はＲＥＷモードから前記駆動モータの回転を停止させるストップモードに切り換える際に、前記切換ギヤの切り換え動作により、前記駆動モータの回転を停止させてから前記第１の駆動ギヤと第１又は第２のリール部との噛み合いを解除させ、その後に前記第２の駆動ギヤを前記第２又は第１のリール部に噛み合わせて前記Ｒ．プレイモード又は前記Ｆ．プレイモードを所定時間実行させた後、前記第２の駆動ギヤと前記第２又は第１のリール部との噛み合わせを解除させるようにしたことを特徴とするものである。
【００１１】
本発明のカセットテープ駆動装置では、第１のリール部が駆動リール部として動作するときには、第２のリール部は従動リール部として機能し、第２のリール部が駆動リール部として動作するときには、第１のリール部が従動リール部として機能する。
【００１２】
本発明では、駆動モータの電源が断たれて駆動リール部の回転が完全に停止した後、または停止する直前に前記駆動リール部から第１の駆動ギヤを離すことにより、慣性力による前記駆動リール部の回転量を最小にできるため、テープに生じやすい弛みを防止することが可能となる。
【００１４】
また駆動リール部が停止させられた後に従動リール部が慣性力によって回転し続けることによりテープ弛みが生じても、従動リール部を順方向又は逆方向に再生駆動させることにより、前記テープ弛みを無くすことができる。
【００１５】
また本発明は、テープの巻き送り又は巻き戻しを行う第１および第２のリール部と、前記第１のリール部と第２のリール部との間を移動可能に設けられた第１及び第２の駆動ギヤと、前記第１および第２の駆動ギヤに動力を与える駆動モータと、磁気ヘッドと、前記磁気ヘッドをテープと接触するプレイ位置およびテープから離れるストップ位置との間で移動させるカムおよび複数の動作モードを設定する係合部とを備えた切換ギヤと、前記切換ギヤの回転を停止させる規制部を備えたロック部材と、前記ロック部材を動作させるソレノイドと、を有するカセットテープ駆動装置であって、
少なくとも前記第１の駆動ギヤが前記第１のリール部に噛み合うことで前記テープを順方向に高速で送るＦＦモードと、前記第１の駆動ギヤが前記第２のリール部に噛み合うことで前記テープを逆方向に高速で巻き戻すＲＥＷモードと、前記第２の駆動ギヤが前記第１のリール部に噛み合うことで前記テープを順方向に低速で送るＦ．プレイモードと、前記第２の駆動ギヤが前記第２のリール部に噛み合うことで前記テープを逆方向に低速で巻き戻すＲ．プレイモードと、前記駆動モータが停止状態にあり且つ前記第１及び第２のリール部のいずれもが回転することのないストップモードと、前記複数の動作モードの基準となる初期モードとを有し、以下の（ａ）ないし（ｆ）の順序にしたがって前記ＦＦモード又は前記ＲＥＷモードからストップモードに移行させられることを特徴とするものである。
【００１６】
（ａ）ストップモードが選択されたときから第１の時間（Ｔ１又はＴ２）だけ駆動モータを停止させる。
（ｂ）前記第１の時間の間にソレノイドを第２の時間（ｔ４又はｔ１１）だけ励磁させ、前記第２の時間の間に駆動モータを再始動させることにより、初期モードに設定する。
（ｃ）ソレノイドを非励磁状態に切り換えてストップモードに設定する。
（ｄ）ソレノイドを第３の時間（ｔ６又はｔ１３）だけ励磁することにより、Ｒ．プレイモード又はＦ．プレイモードを所定の時間（ｔ７又はｔ１４）実行する。
（ｅ）ソレノイドを第４の時間（ｔ１０又はｔ１５）だけ励磁することにより、再度初期モードに設定する。
（ｆ）前記第４の時間（ｔ１０又はｔ１５）経過後、ソレノイドを非励磁状態に切換え、その後に駆動モータを停止する。
【００１７】
上記において、前記第１および第２の駆動ギヤを回動自在に支持する切換アームが設けられ、前記切換ギヤの回転に応じて前記切換アームが回動させられることにより、前記第１の駆動ギヤ又は第２の駆動ギヤが前記第１又は第２のリール部との噛み合い位置および前記噛み合いが外れる位置に移動させられるものが好ましい。
【００１８】
さらに、前記第１および第２の駆動ギヤを回動自在に支持するとともに、前記切換ギヤの回転に応じて回動させられることにより、前記第１の駆動ギヤ又は第２の駆動ギヤを前記第１又は第２のリール部との噛み合い位置および前記噛み合いが外れる位置に移動させる切換アームが設けられ、
前記切換ギヤには、前記プレイモードのときに前記規制部に掛止される第１の係合部、前記ストップモードのときに前記規制部に掛止される第２の係合部、前記ＦＦモードおよび／またはＲＥＷモードのときに前記規制部に掛止される第３の係合部および前記初期モードを設定するときに前記規制部に掛止される第４の係合部と、前記切換アームを回動させる摺動カムが形成されており、
前記ソレノイドが非励磁状態のときには前記規制部が前記第１の係合部、第２の係合部又は前記第３の係合部のいずれかに掛止され、前記ソレノイドが励磁状態のときには前記規制部が前記第４の係合部に掛止されるものであり、
前記動作モードが前記ＦＦモード又はＲＥＷモードにあるときに、前記第２の時間だけソレノイドが励磁させて前記規制部と第３の係合部との掛止が解除させられることにより前記切換ギヤの回転が再開され、これに伴い前記第１の駆動ギヤと前記第１又は第２のリール部との噛み合わせが解除させられるものが好ましい。
【００１９】
【発明の実施の形態】
図１は本発明のカセットテープ駆動装置の駆動機構の主要部分概略を示す平面図である。
【００２０】
図１に示すように、このカセットテープ駆動装置１内のシャーシ１０上には、キャプスタン１２Ａ，１２Ｂが設けられている。シャーシ１０の背面側（紙面裏側）には、キャプスタン１２Ａ，１２Ｂを同軸とするフライホイール１４Ａ，１４Ｂがそれぞれ一体に設けられている。前記フライホイール１４Ａ，１４Ｂは、駆動モータＭにベルトを介して連結されており（図示せず）、前記駆動モータＭにより前記フライホイール１４Ａ，１４Ｂが回転させられ、これにともない前記キャプスタン１２Ａ，１２Ｂが回転させられる。前記一方のフライホイール１４Ａの基部にはホイールギヤ３０が設けられており、フライホイール１４Ａとともに回転する。
【００２１】
シャーシ１０の表面には、磁気ヘッド（図示せず）を搭載したヘッドベース１５が設けられており、磁気テープ（図示せず）に接近する方向（Ｙ１方向）及び離間する方向（Ｙ２方向）に移動可能な状態で設けられている。なお、シャーシ１０上には、図示しないガイドピンが設けられており、ヘッドベース１５は前記ガイドピンに案内されて図示Ｙ１方向およびＹ２方向に直線的に移動可能とさせれている。またシャーシ１０とヘッドベース１５との間には、コイルスプリングなどからなる付勢部材Ｓ１が設けられており、ヘッドベース１５はＹ２方向に付勢されている。
【００２２】
前記ヘッドベース１５がＹ１方向に移動させられると、磁気ヘッドが磁気テープに摺接するプレイモードに設定される。その反対に、ヘッドベース１５がＹ２方向に移動させられると、磁気ヘッドが磁気テープから離れるストップモードに設定される。
【００２３】
前記シャーシ１０には、前記キャプスタン１２Ａ，１２Ｂに対向するピンチローラ１６，１６が設けられている。前記ピンチローラ１６，１６を支持するローラーアーム１６ａ，１６ａはシャーシ１０で軸１６ｂ，１６ｂに回動自在に支持されている。ヘッドベース１５がＹ１方向に移動させられると、その移動力が線ばねなどを介して前記ローラーアーム１６ａ，１６ａに与えられ、ピンチローラ１６，１６がキャプスタン１２Ａ，１２Ｂに当接させられる。またヘッドベース１５がＹ２方向に移動するときに、ピンチローラ１６，１６がキャプスタン１２Ａ，１２Ｂから離される。
【００２４】
前記シャーシ１０の紙面裏側には、切換ギヤ２０が設けられている。図２Ａは切換ギヤを示しておりＡは平面図、Ｂは側面図、Ｃは底面図である。
【００２５】
切換ギヤ２０の中心部には、軸受け部２１が設けられている。前記切換ギヤ２０は、シャーシ１０に設けられた軸に前記軸受け部２１が挿通されることにより、回転自在に支持されている。切換ギヤ２０の外周面には、所定のピッチからなるギヤ歯２２が形成されており、このギヤ歯２２に前記ホイールギヤ３０が噛み合っている。そして、ホイールギヤ３０により、前記切換ギヤ２０はα方向に回転させられるようになっている。また前記ギヤ歯２２には４つの欠歯部２２ａ，２２ｂ，２２ｃおよび２２ｄが形成されている。そして、前記ホイールギヤ３０が各欠歯部２２ａ，２２ｂ，２２ｃおよび２２ｄに対向したときには、ホイールギヤ３０の回転力が切換ギヤ２０に伝達されないようになっている。
【００２６】
図２Ａ，Ｂに示すように、前記切換ギヤ２０の一方の面の前記軸受け部２１の周囲には、切換カム２３が突出形成されている。前記ヘッドベース１５の中央部には開口部１５ｂが形成され、その一部には摺動片１５ａが折り曲げ形成されている。そして、この摺動片１５ａは、前記付勢部材Ｓ１の付勢力によって前記切換カム２３の外周面に圧接させられている。よって、切換ギヤ２０に回転を与え、切換カム２３を回転させることにより、前記ヘッドベース１５を切換カム２３の形状に応じてＹ１方向およびＹ２方向に移動させることが可能とされている。
【００２７】
前記切換カム２３は多角形状に形成されており、第１の押圧部２３ａ，第２の押圧部２３ｂ，第３の押圧部２３ｃおよび第４の押圧部２３ｄが形成されている。第１の押圧部２３ａは、ストップモード設定用であり、前記第１の押圧部２３ａに前記摺動片１５ａが圧接すると、ヘッドベース１５はＹ２方向に移動させられたストップモードに設定される（図３参照）。また第２の押圧部２３ｂは初期モード用（図８参照）、第３の押圧部２３ｃはテープを早送りするＦＦモードおよびテープを早戻しするＲＥＷモード設定用である（図６、図７参照）。
【００２８】
前記切換カム２３の外周域であって、前記第３の押圧部２３ｃと第４の押圧部２３ｄとの間には、テープ送り方向の再生モード（Ｆ．プレイモード）とテープ巻き戻し方向の再生モード（Ｒ．プレイモード）を設定する押圧片２４が形成されている。
【００２９】
図２Ｃに示すように、前記切換ギヤ２０の他方の面の外周域には、第１の係合部（プレイ突起）２５ａ，第２の係合部（ストッパ突起）２５ｂおよび第３の係合部（ＦＦ／ＲＥＷ突起）２５ｃが突出形成されている。また前記第１ないし第３の係合部２５ａ，２５ｂ、２５ｃの内周側には、リング状の環状リブ２５Ａが形成されており、この環状リブ２５Ａには外周方向に突出する第４の係合部２５ｄと、同じく外周方向に突出し且つ緩やかな傾斜面からなる第１ないし第４の起伏部２６ａ，２６ｂ，２６ｃおよび２６ｄが形成されている。
【００３０】
なお、前記第１の係合部２５ａはＦ．プレイモードおよびＲ．プレイモード用であり、第２の係合部２５ｂはストップモード用であり、第３の係合部２５ｃはＦＦモードおよびＲＥＷモード用である。また第４の係合部２５ｄは前記初期モード（イニシャライズ）を設定するためのものである。なお、前記切換ギヤ２０がα方向へ回転するときに、前記第１の係合部２５ａ→第３の係合部２５ｃ→第２の係合部２５ｂ→第４の係合部２５ｄ→第１の係合部２５ａの順に、後に説明するロック部材６０と係合する。
【００３１】
また、切換ギヤ２０の他方の面の前記環状リブ２５Ａの内部には、多角形状に形成された摺動カム２７Ａと略円弧形状に形成された第１の案内リブ２７Ｂおよび第２の案内リブ２７Ｃが形成されている。なお、前記摺動カム２７Ａには設定部２７ａ、第１の凹部２７ｂ、第２の凹部２７ｃなどが形成されている。
【００３２】
図１及び図３ないし図９に示すように、シャーシ１０の背面側（図示紙面裏側）で、かつ前記切換ギヤ２０の近傍には切換アーム４０とロック部材６０が設けられている。前記切換アーム４０は略Ｌ字形状に形成され、シャーシ１０上に突設された軸４１に対し図示β１およびβ２方向に回転自在に支持されている。なお、切換アーム４０には、図示しない付勢部材により図示β１方向に付勢されている。
【００３３】
前記切換アーム４０は、腕部４２と腕部４３とを有しており、一方の腕部４２はシャーシ１０の切換ギヤ２０の他方の面（図２Ｃ）の外側（下面側）に設けられている。一方の腕部４２の中央には開口４２ａが形成されており、この開口４２ａには前記切換えギヤ２０の軸受け部２１が挿通されている。よって、切換アーム４０は、前記軸受け部２１が開口４２ａ内を移動する範囲内で図示β１およびβ２方向に回動可能とされている。
【００３４】
また腕部４２には、紙面に対し垂直となり且つ前記切換えギヤ２０の他方の面方向に延びる操作ピン４４（図示●印）が突出形成されており、前記摺動カム２７Ａおよび第１，第２の案内リブ２７Ｂ，２７Ｃの回りを摺動できるようになっている。なお、切換アーム４０は図示β１方向に付勢されているため、常に操作ピン４４は摺動カム２７Ａ、第１の案内リブ２７Ｂ、第２の案内リブ２７Ｃのいずれかをβ１方向に押圧している。
【００３５】
他方の腕部４３の先端は、シャーシ１０に形成された開口部１０ａを通じてシャーシ１０の図示裏面側から表面方向に延び、さらにシャーシ１０の表面よりも上方（表面方向）に突出する形状で形成されている。そして、前記腕部４３には紙面と直交する高さ方向に延びる軸５１が設けられており、この軸５１には回転体５２、中型の歯車からなる第１の駆動ギヤ５３および小型の歯車からなる第２の駆動ギヤ５４が回転自在に支持されている。
【００３６】
第１および第２の駆動ギヤ５３，５４は一体に形成され、第１の駆動ギヤ５３の下方（紙面の裏方向）の先端に第２の駆動ギヤ５４が形成されている。
【００３７】
前記第１の駆動ギヤ５３および第２の駆動ギヤ５４は、図示しない手段により軸５１が延びる方向に移動可能に支持されている。前記回転体５２と第１の駆動ギヤ５３とは図示しない手段により係合されており、回転体５２、第１の駆動ギヤ５３および第２の駆動ギヤ５４とは共に一体で回転できるようになっている。
【００３８】
なお、前記回転体５２と前記フライホイール１４Ａ，１４Ｂおよび駆動モータＭの回転軸との間には図示しないベルトが掛け渡されており、回転体５２はフライホイール１４Ａと同一方向、フライホイール１４Ｂと逆方向に回転可能とされている。
【００３９】
またシャーシ１０上には、リール部（第１のリール部）４６、リール部（第２のリール部）４７、第１の連結ギヤ５５および第２の連結ギヤ５６が設けられている。なお、リール部４６が駆動側のリール部として動作するときには、リール部４７は従動側のリール部として動作し、リール部４７が駆動側のリール部として動作するときには、リール部４６が従動側のリール部として動作する関係にある。
【００４０】
前記リール部４６の外周面には、外ギヤ４６ａが周設されており、前記外ギヤ４６ａの内周側には内ギヤ４６ｂが断面段差形状に形成されている。同様に、前記他方のリール部４７の外周面にも外ギヤ４７ａが周設され、その内周側には内ギヤ４７ｂが断面段差形状に形成されている。
【００４１】
前記第１の連結ギヤ５５と第２の連結ギヤ５６とは高さ方向に位置ずれしており、第１の連結ギヤ５５が前記リール部４６の外ギヤ４６ａに、第２の連結ギヤ５６が前記リール部４６の内ギヤ４６ｂにそれぞれ噛み合っている。
【００４２】
また第１の駆動ギヤ５３と第２の駆動ギヤ５４の高さ方向の対向間隔と、第１の連結ギヤ５５と第２の連結ギヤ５６の高さ方向の対向間隔、およびリール部４７の外ギヤ４７ａと内ギヤ４７ｂとの高さ方向の対向間隔とは異なっている。そして、前記第１の駆動ギヤ５３および第２の駆動ギヤ５４が軸方向に移動し、第２の駆動ギヤ５４が第１の連結ギヤ５５又はリール部４７の外ギヤ４７ａと高さ方向で一致するときには、前記第１の駆動ギヤ５３は第２の連結ギヤ５６およびリール部４７の内ギヤ４７ｂと高さ方向で一致しない関係に設定される。また第１の駆動ギヤ５３が第２の連結ギヤ５６又はリール部４７の内ギヤ４７ｂと高さ方向で一致するときには、前記第２の駆動ギヤ５４は第１の連結ギヤ５５又はリール部４７の外ギヤ４７ａと高さ方向で一致しない関係に設定される。
【００４３】
したがって、前記切換アーム４０をβ１方向に回動させることにより、第１の連結ギヤ５５に第２の駆動ギヤ５４又は第２の連結ギヤ５６に第１の駆動ギヤ５３を噛み合わせることができ、切換アーム４０をβ２方向に回動させるとにより、リール部４７の外ギヤ４７ａに第２の駆動ギヤ５４を又はリール部４７の内ギヤ４７ｂに第１の駆動ギヤ５３を噛み合わせることができるようになっている。
【００４４】
前記フライホイール１４Ａに回転を与えると、前記図示しないベルトを介して前記回転体５２、第１の駆動ギヤ５３および第２の駆動ギヤ５４が一体で回転する。このとき、前記切換アーム４０がβ１方向に回動させられた状態にあり、且つ第１の連結ギヤ５５と第２の駆動ギヤ５４とが噛み合っている場合には、リール部４６が低速で図示時計回りに回転させられる（Ｆ．プレイモード）。また前記状態において第２の連結ギヤ５６と第１の駆動ギヤ５３とが噛み合っている場合には、リール部４６が高速で図示時計回りに回転させられる（ＦＦモード）。
【００４５】
一方、前記切換アーム４０がβ２方向に回動させられた状態にあり、且つリール部４７の外ギヤ４７ａに第２の駆動ギヤ５４が噛み合っている場合には、リール部４７が低速で図示反時計回りに回転させられる（Ｒ．プレイモード）。また前記状態においてリール部４７の内ギヤ４７ｂと第１の駆動ギヤ５３とが噛み合っている場合には、リール部４７が高速で図示反時計回りに回転させられる（ＲＥＷモード）。
【００４６】
ロック部材６０は、シャーシ１０の裏面に突設された軸６１に支持され、図示γ１方向およびγ２方向に回転自在とされている。ただし、ロック部材６０には、捩じりコイルばねなどの付勢部材Ｓ２が設けられており、図示γ１方向に付勢されている。
【００４７】
またロック部材６０は、切換ギヤ２０方向に向けて設けられた腕部６２を有している。前記腕部６２は、切換ギヤ２０の他方の面（図２Ｃ）と対向するように設けられており、その先端には前記規制部６３とロック部６４が形成されている。
【００４８】
前記規制部６３は、切換ギヤ２０に形成された前記第１ないし第４の係合部２５ａ，２５ｂ，２５ｃおよび２５ｄに当接可能とされている。一方、ロック部６４は切換アーム４０の腕部４２に形成された係止片４５に対向しており、前記係止片４５をロック可能とされている。
【００４９】
またロック部材６０には係合部６５が形成されており、シャーシ１０に固設されたソレノイド７０のプランジャ７１の先端を係合している。したがって、ソレノイド７０が励磁され、プランジャ７１がソレノイド７０の内部方向に引き込まれると、ロック部材６０はγ２方向に回転させられる。またソレノイド７０が非励磁とされると、前記付勢部材Ｓ２の付勢力によりプランジャ７１が突出し、ロック部材６０はγ１方向に回転させられる。これにより、腕部６２の先端の規制部６３の位置を切換ギヤ２０の内周側と外周側との間を移動させることが可能とされている。
【００５０】
なお、カセットテープ駆動装置１の内部には、上記駆動モータＭおよびソレノイド７０の駆動およびその停止を制御する制御部が設けられている（図示せず）。
【００５１】
以下、カセットテープ駆動装置の動作について説明する。
図３ないし図５は、カセットテープ駆動装置の各動作モードを示す平面図であり、図３はストップモード、図４はＦ．プレイモード、図５はＲ．プレイモード、図６はＦＦモード、図７はＲＥＷモード、図８は初期モード、図９はストップモードからＲ．プレイモードへの切換え過程を示している。また図１０はカセットテープ駆動装置の動作のタイミングチャートを示しており、ＡはＦＦモードからストップモードへの切換え過程、ＢはＲＥＷモードからストップモードへの切換え過程をそれぞれ示している。
【００５２】
（ストップモード）
図３に示すストップモードでは、駆動モータＭが停止状態にあり、前記ホイールギヤ３０が停止させられている。ソレノイド７０は非励磁状態とされ、ロック部材６０が付勢部材Ｓ２の付勢力でγ１方向に回動させられている。そして、ロック部材６０の規制部６３が、切換ギヤ２０の第２の係合部２５ｂに当接し、切換ギヤ２０の図示α方向に回転を規制している。なお、前記ホイールギヤ３０は、切換ギヤ２０の外周に形成された欠歯部２２ａに位置している。
【００５３】
ヘッドベース１５は、前記摺動片１５ａが切換カム２３の第１の押圧部２３ａによって支持されているため、付勢部材Ｓ１の付勢力によりＹ２方向へ移動させられおり、磁気ヘッドは磁気テープから離間させられている。
【００５４】
一方、切換アーム４０の操作ピン４４は、摺動カム２７Ａ上の設定部２７ａに位置しており、前記第１の駆動ギヤ５３および第２の駆動ギヤ５４は前記第１，第２の連結ギヤ５５，５６、リール部４７の外ギヤ歯４７ａおよび内ギヤ４７ｂのいずれとも噛み合わない中立位置に設定されている。よって、リール部４６およびリール部４７はいずれも回転することのない状態にある。
【００５５】
（Ｆ．プレイモードおよびＲ．プレイモード）
図４及び図５に示すようにＦ．プレイモードおよびＲ．プレイモードでは、ソレノイド７０は非励磁状態にあり、ロック部材６０は付勢部材Ｓ２の付勢力によりγ１方向に回動させられている。このとき、ロック部材６０の規制部６３は、切換ギヤ２０の第１の係合部２５ａを掛止し、切換ギヤ２０は図示α方向に回転できない状態に設定されている。また駆動モータＭは駆動状態にある。ただし、ホイールギヤ３０は切換ギヤ２０の欠歯部２２ｂに位置しているため、切換ギヤ２０は回転できない状態に設定されている。
【００５６】
ヘッドベース１５の摺動片１５ａは、切換ギヤ２０の押圧片２４によって図示Ｙ１方向へ押し上げられている。よって、ヘッドベース１５はＹ１方向に移動させられ、磁気ヘッドが磁気テープに接触している。
【００５７】
ただし、図４に示すＦ．プレイモードでは、切換アーム４０の操作ピン４４が摺動カム２７Ａの第１の凹部２７ｂに入り込んでおり、切換アーム４０はβ１方向に回動させられている。また第１の駆動ギヤ５３および第２の駆動ギヤ５４が軸方向に移動され、前記第２の駆動ギヤ５４が第１の連結ギヤ５５に噛み合うように設定されている。このとき、駆動モータＭの回転力が、フライホイール１４Ａ、回転体５２、第２の駆動ギヤ５４、第１の連結ギヤ５５を介してリール部４６の外ギヤ４６ａに伝えられると、リール部４６が図示時計回り方向に低速で回転させられる。これにより、磁気テープがリール部４６によって低速で送られる順方向の再生（Ｆ．プレイ）が行われる。
【００５８】
一方、図５に示すＲ．プレイモードの場合には、切換アーム４０の操作ピン４４が、第１の案内リブ２７Ｂによって図示β２方向に回動させられている。この状態では、第２の駆動ギヤ５４がリール部４７の外ギヤ４７ａに噛み合う状態に設定されている。
【００５９】
この状態において、駆動モータＭの回転力がフライホイール１４Ａに与えられると、その回転力は回転体５２、第２の駆動ギヤ５４を介してリール部４７の外ギヤ４７ａに伝えられるため、リール部４７が図示反時計回り方向に回転させられる。これにより、磁気テープがリール部４７に低速で巻き戻される逆再生（Ｒ．プレイ）行われる。
【００６０】
なお、前記ストップモード、Ｆ．プレイモードおよびＲ．プレイモードでは、ソレノイド７０が非励磁状態に設定されているため、カセットテープ駆動装置の消費電力を低減することが可能である。
【００６１】
（ＦＦモード及びＲＥＷモード）
図６及び図７に示すＦＦモードおよびＲＥＷモードでは、駆動モータＭは駆動状態、ソレノイド７０は非励磁状態にある。この状態では、ロック部材６０がγ１方向に回動させられ、ロック部材６０の規制部６３は、切換ギヤ２０の第３の係合部２５ｃを掛止し、切換ギヤ２０がα方向に回転できない状態に設定されている。またホイールギヤ３０が切換えギヤ２０の欠歯部２２ｃに位置しており、回転中のホイールギヤ３０からも切換ギヤ２０に回転力が与えられない状態にある。
【００６２】
またヘッドベース１５の摺動片１５ａは、切換ギヤ２０の切換カム２３の第３の押圧部２３ｃによって図示Ｙ１方向にわずかに移動させられている。
【００６３】
図６に示すように、ＦＦモードでは切換アーム４０の操作ピン４４が摺動カム２７Ａの第２の凹部２７ｃに入り込んでおり、切換アーム４０がβ１方向に回動させられている。この状態では、第１の駆動ギヤ５３および第２の駆動ギヤ５４が軸方向に移動され、第１の駆動ギヤ５３が第２の連結ギヤ５６に噛み合う状態に設定されている。よって、駆動モータＭの回転力が、フライホイール１４Ａ、回転体５２、第１の駆動ギヤ５３および第２の連結ギヤ５６を介してリール部４６の内ギヤ４６ｂに伝えられると、前記リール部４６が図示時計回り方向に高速回転させられる。これにより、磁気テープがテープ送り方向に高速で送られる早送り（ＦＦ）が行われる。
【００６４】
一方、図７に示すＲＥＷモードでは、切換アーム４０の操作ピン４４が第２の案内リブ２７Ｃに押圧され、切換アーム４０が図示β２方向に回動させられている。この状態では、第１の駆動ギヤ５３および第２の駆動ギヤ５４が軸方向に移動され、第１の駆動ギヤ５３が他方のリール部４７の内ギヤ４７ｂと噛み合う状態に設定されている。よって、駆動モータＭの回転力が、フライホイール１４Ａ、回転体５２、第１の駆動ギヤ５３および前記内ギヤ４７ｂを介してリール部４７に伝えられると、前記リール部４７が図示反時計回り方向に高速回転させられる。これにより、磁気テープがテープ巻き戻し方向に高速で送られる早戻し（ＲＥＷ）が行われる。
【００６５】
（初期モード）
このカセットテープ駆動装置１には、初期モードが設けられている。
【００６６】
図８に示すように、初期モードとは、ソレノイド７０が励磁され、ロック部材６０の規制部６３が切換ギヤ２０の環状リブ２５Ａに形成されている第４の係合部２５ｄを掛止し、切換ギヤ２０のα方向への回転を制限する状態を指す。
【００６７】
なお、初期モードに設定するには、ソレノイド７０を励磁させた状態で駆動モータＭを始動させることにより設定できる。すなわち、ソレノイド７０を励磁させた状態で駆動モータＭを始動させると、カセットテープ駆動装置１の動作状態がどのようなモードに設定されていても前記規制部６３が前記環状リブ２５Ａの外周面を摺動することになる。そして、切換ギヤ２０がα方向へ回転する間に、前記規制部６３が環状リブ２５Ａ上の第１ないし第４の起伏部２６ａ，２６ｂ，２６ｃおよび２６ｄを次々に乗り越え、前記規制部６３が第４の係合部２５ｄに当接したときに、前記切換ギヤ２０の回転が停止させられることで初期モードに設定される（図８参照）。
【００６８】
（ＦＦモードからストップモードへの移行）
図１０Ａに示すように、ＦＦモード時にストップモード設定用の操作ボタン（ストップ釦）が押されると、制御部は一定の第１の時間Ｔ１だけ駆動モータＭの動作を停止させ、再び駆動モータを駆動する。制御部は前記第１の時間Ｔ１の間にソレノイド７０を時間ｔ２だけ励磁（ＯＮ）し、ロック部材６０を図示γ２方向に回動させ、規制部６３と第３の係合部２５ｃとの掛止を解除する。このとき、ヘッドベース１５の摺動片１５ａは切換カム２３の第３の押圧部２３ｃを図示Ｙ２方向に付勢しているため、切換ギヤ２０が図示α方向に回転させられ、ホイールギヤ３０が切換ギヤ２０のギヤ歯２２に噛み合う。
【００６９】
次に、制御部は、一度ソレノイド７０を非励磁状態（ＯＦＦ）に設定し（時間ｔ３）、再び励磁状態（ＯＮ）に切り換える。この励磁状態は第２の時間ｔ４の間だけ設定されるが、制御部はこの第２の時間ｔ４内に駆動モータＭを再始動させ、切換ギヤ２０をα方向に回転させて初期モードに設定する（図８参照）。そして、制御部は、前記第２の時間ｔ４経過後にソレノイド７０を非励磁状態に切り換える。これにより、切換ギヤ２０がα方向に回転させられ、規制部６３に第２の係合部２５ｂが当接するため、カセットテープ駆動装置の動作モードがストップモードに切り換えられる（図３参照）。
【００７０】
同時に、操作ピン４４が摺動カム２７Ａの第２の凹部２７ｃを抜け出し、外周方向に押し出される。よって、図６の状態から切換アーム４０がβ２方向に回動させられ、第１の連結ギヤ５５から第１の駆動ギヤ５３が離れるため、リール部４６の回転が停止させられる。
【００７１】
なお、ソレノイド７０の非励磁状態の設定時間は、確実にストップモードに移行することが可能な時間ｔ５に設定されている。
【００７２】
次に、制御部はストップモードから再びソレノイド７０を所定の第３の時間ｔ６だけ励磁状態に設定する。これにより、規制部６３と第２の係合部２５ｂとの掛止状態が解除される。このとき、摺動片１５ａが付勢部材Ｓ１の付勢力により第１の押圧部２３ａをＹ２方向に押圧するため、切換ギヤ２０がα方向に回転させられ、ホイールギヤ３０が切換ギヤ２０のギヤ歯２２に噛み合う。よって、切換ギヤ２０は駆動モータＭの駆動力によりα方向に回転し始める。
【００７３】
図９に示すように、切換アーム４０がβ２方向に回動させられた状態で、ソレノイド７０が励磁されロック部材６０がγ２方向に回転させられると、ロック部６４が切換アーム４０の腕部４２に形成された係止片４５をロックする。これにより、切換アーム４０がβ２方向に回動させられた状態が維持される。この状態では、前記操作ピン４４が第１の案内リブ２７Ｂよりも外周側に移動させられる。
【００７４】
そして、制御部は前記第３の時間ｔ６の間だけソレノイド７０を励磁状態に設定することにより、規制部６３に第１の係合部２５ａが掛止されるため、カセットテープ駆動装置の動作モードがＲ．プレイモードに設定される（図５参照）。
【００７５】
次に、制御部は、所定の時間ｔ７だけＲ．プレイモードを実行する。その後、ソレノイド７０を時間ｔ８だけ励磁し、その後時間ｔ９だけ非励磁とする。これにより、前記規制部６３と第１の係合部２５ａとの掛止を解除し、切換ギヤ２０のα方向への回転が許容される状態に設定する。この状態では、ヘッドベース１５の摺動片１５ａが、切換ギヤ２０の押圧片２４をＹ２方向に付勢するため、切換ギヤ２０がα方向に回転させられ、ホイールギヤ３０が切換ギヤ２０のギヤ歯２２に噛み合う。よって、切換ギヤ２０は駆動モータＭの駆動力によりα方向に回転し始める。
【００７６】
制御部は、前記時間ｔ９の経過後にソレノイド７０を第４の時間ｔ１０の間だけ励磁状態に設定し、カセットテープ駆動装置の動作状態を上記初期モードに設定する（図８参照）。
【００７７】
そして、制御部は第４の時間ｔ１０経過後にソレノイド７０を非励磁状態に戻すことにより、切換ギヤをα方向に回転させてカセットテープ駆動装置の動作モードをストップモードに設定した後、駆動モータＭを停止させる。
【００７８】
上記のように、ＦＦモードの状態でストップ釦が押されると、第１の連結ギヤ５５に第１の駆動ギヤ５３が連結している状態で駆動モータＭが停止させることができる。すなわち、一方のリール部（駆動側）４６が回転自由な状態になる前に駆動モータＭを停止さるため、リール４６が高速回転時の慣性力によって回転し続ける量（回転量）を少なくできる。
【００７９】
ただし、他方のリール（従動側）４７はＦＦモードの高速回転時の慣性力によってテープ送り方向に回転し続けるため、カセット内の磁気テープに弛みが生じやすい。
【００８０】
そこで、上記においては、カセットテープ駆動装置１の動作状態が、ＦＦモードから最終的なストップモードに至る前にＲ．プレイモードを所定の時間だけ実行させている。Ｒ．プレイモードでは、前記従動側のリール４７を反時計回り方向に回転駆動させることによって磁気テープがテープ巻き戻し方向に送られるため、前記ＦＦモードの停止時に発生した磁気テープの弛みを無くすことが可能である。
【００８１】
（ＲＥＷモードからストップモードへの移行）
図１０Ｂに示すように、ＲＥＷモード時にストップ釦が押されると、制御部は一定の第１の時間Ｔ２だけ駆動モータＭの動作を停止させ、再び駆動モータを駆動する。
【００８２】
制御部は、前記第１の時間Ｔ２の間にソレノイド７０を励磁状態に切り換える。摺動片１５ａが切換カム２３を付勢して切換ギヤ２０をα方向に回転させるため、ホイールギヤ３０がギヤ歯２２に噛み合う。なお、この励磁状態は第２の時間ｔ１１の間行われる。
【００８３】
切換ギヤ２０は、前記第２の時間ｔ１１の間にα方向に回転し続けるが、この際前記規制部６３が環状リブ２５Ａの回りを摺動して第４の係合部２５ｄに当接するため、カセットテープ駆動装置の動作状態が前記初期モードに設定される（図８参照）。
【００８４】
なお、第２の時間ｔ１１の間、ロック部材６０のロック部６４が、切換アーム４０の係止片４５をロックしてβ２方向に回動する状態を保持する。よって、操作ピン４４は、第２の案内リブ２７Ｃから摺動カム２７Ａにスムーズに移動することができる。すなわち、切換アーム４０をβ１方向に付勢する付勢部材（図示せず）の付勢力が、切換ギヤ２０を反α方向に回転させるように作用するのを防止できる。
【００８５】
制御部は、第２の時間ｔ１１経過後にソレノイド７０を時間ｔ１２だけ非励磁状態に設定することにより、カセットテープ駆動装置の動作モードを初期モードからストップモードに設定する（図３参照）。
【００８６】
次に制御部は、ソレノイド７０を第３の時間ｔ１３だけ励磁してロック部材６０をγ２方向に回動させ、規制部６３と第２の係合部２５ｂとの掛止を解除し、上記同様に切換ギヤ２０を駆動モータＭの駆動力によって図示α方向に回転させる。そして、さらに切換ギヤ２０がα方向に回転し、規制部６３が第２の係合部２５ａに当接したときに、Ｆ．プレイモードに設定される（図４参照）。
【００８７】
制御部は、所定の時間ｔ１４だけＦ．プレイモードを実行させる。その後、制御部はソレノイド７０を第４の時間ｔ１５だけ励磁することにより、カセットテープ駆動装置の動作モードをＦ．プレイモードから初期モードに設定する（図８参照）。
【００８８】
そして、制御部は第４の時間ｔ１５経過後にソレノイド７０を非励磁状態に戻すことにより、カセットテープ駆動装置の状態をストップモードに設定し、その後に駆動モータＭを停止させる。
【００８９】
上記ＲＥＷモードにおいてストップ釦が押されると、リール４７の内ギヤ４７ｂに第１の駆動ギヤ５３が連結している状態で駆動モータＭが停止させられる。すなわち、他方のリール部（駆動側）４７が回転自由な状態になる前に駆動モータＭを停止さるため、駆動側のリール部４７が高速回転時の慣性力によって回転し続ける量（回転量）を少なくできる。
【００９０】
ただし、一方のリール部（従動側）４６はＲＥＷモードの高速回転時の慣性力によってテープ巻き戻し方向に回転し続けるため、カセット内の磁気テープに弛みが生じやすい。
【００９１】
そこで、カセットテープ駆動装置１の状態が、ＲＥＷモードから最終的なストップモードに至る前にＦ．プレイモードを所定の時間だけ実行させる。前記Ｆ．プレイモードでは、一方の従動側のリール部４６を時計回り方向に回転駆動させることによって磁気テープをテープ送り方向に送るため、前記ＲＥＷモードの停止時に発生した磁気テープの弛みを無くすことが可能である。
【００９２】
なお、図１０Ａ、１０Ｂに示されるように、上記ＦＦモードからストップモードへの移行の実施の形態では、ＲＥＷモードからストップモードへの移行の実施の形態と異なり、初期モードに移行する前に必ずソレノイド７０の非励磁→励磁→非励磁という切換動作を行っている。これは図６に示すように、ＦＦモードの場合には、切換アーム４０が図示β２方向に回動させられているため、ロック部材６０をγ２方向に回動させたときにロック部６４が係止片４５に衝突して破損するおそれがあるからである。そこで、ＦＦモードからストップモードに移行させる場合には、初期モードに移行する前にソレノイド７０の前記切換動作を行ってロック部材６０を瞬間的に切り換えることにより、規制部６３と第３の係合部２５ｃの掛止を解除させることができ、この際ロック部６４と係止片４５との衝突を避けることが可能となる。したがって、このようにロック部６４と係止片４５との衝突のおそれのないＲＥＷモードからストップモードへの移行の場合には、前記初期モードに移行する前のソレノイド７０の前記切換動作は不要である。
【００９３】
【発明の効果】
以上のように本発明では、１モータで駆動されるカセットテープ駆動装置において、ＦＦモード又はＲＥＷモードからストップモードを設定したときに生じやすい磁気テープの弛みの発生を防止できる。
【００９４】
また従来のようにストッパ機構を設ける必要がなく、カセットテープ駆動装置の動作のタイミングだけで磁気テープの弛みの発生を防止できるため、部品点数を削減でき、コストダウンや小型化を図ることが可能となる。
【図面の簡単な説明】
【図１】本発明のカセットテープ駆動装置の駆動機構の主要部分を示す平面図、
【図２】切換ギヤを示し、Ａは平面図、Ｂは側面図、Ｃは底面図、
【図３】カセットテープ駆動装置のストップモードを示す平面図、
【図４】カセットテープ駆動装置のＦ．プレイモードを示す平面図、
【図５】カセットテープ駆動装置のＲ．プレイモードを示す平面図、
【図６】カセットテープ駆動装置のＦＦモードを示す平面図、
【図７】カセットテープ駆動装置のＲＥＷモードを示す平面図、
【図８】カセットテープ駆動装置の初期モードを示す平面図、
【図９】ストップモードからＲ．プレイモードへの切換え過程を示すカセットテープ駆動装置の平面図、
【図１０】カセットテープ駆動装置の動作のタイミングチャートを示しており、ＡはＦＦモードからストップモードへの切換え過程、ＢはＲＥＷモードからストップモードへの切換え過程、
【符号の説明】
１  カセットテープ駆動装置
１５  ヘッドベース
１５ａ  摺動片
２０  切換ギヤ
２３  切換カム
２４  押圧片
２５Ａ  環状リブ
２５ａ  第１の係合部
２５ｂ  第２の係合部
２５ｃ  第３の係合部
２５ｄ  第４の係合部
２７Ａ  摺動カム、
２７Ｂ  第１の案内リブ
２７Ｃ  第２の案内リブ
３０  ホイールギヤ
４０  切換アーム
４４  操作ピン
４５  係止片
４６  第１のリール部
４７  第２のリール部
５２  回転体
５３  第１の駆動ギヤ
５４  第２の駆動ギヤ
５５  第１の連結ギヤ
５６  第２の連結ギヤ
６０  ロック部材
６３  規制部
６４  ロック部
７０  ソレノイド
【図１】
0003750581.tif 000002
【図２】
0003750581.tif 000003
【図３】
0003750581.tif 000004
【図４】
0003750581.tif 000005
【図５】
0003750581.tif 000006
【図６】
0003750581.tif 000007
【図７】
0003750581.tif 000008
【図８】
0003750581.tif 000009
【図９】
0003750581.tif 000010
【図１０】
0003750581.tif 000011